(57)【要約】      （修正有）【課題】出金処理に適合した種類の帯封紙幣を払い出す紙幣処理装置を提供する。【解決手段】紙幣処理装置（帯封紙幣処理ユニット２００）は、収納部（スタッカ２０５）と、出金部（入出金口２０６、投出口）と、出金処理時に、収納部から帯封紙幣を繰り出して、出金部へ払い出す制御部と、を備える。制御部は、収納部から繰り出した帯封紙幣について、表裏及び天地の少なくとも一方が揃っていることが確認できる第一種の帯封紙幣と、表裏及び天地の少なくとも一方が揃っていることが確認できない第二種の帯封紙幣とを判別し、制御部は、出金処理の実行が指示された場合に、当該出金処理に適合する種類の帯封紙幣を、出金部へ払い出す。【選択図】図１２
2020190900.tif 000002
【特許請求の範囲】
【請求項１】
帯封紙幣を収納する収納部と、
前記帯封紙幣を払い出す出金部と、
出金処理時に、前記収納部から前記帯封紙幣を繰り出して、前記出金部へ払い出す制御部と、を備え、
前記制御部は、前記収納部から繰り出した帯封紙幣について、表裏及び天地の少なくとも一方が揃っていることが確認できる第一種の帯封紙幣と、表裏及び天地の少なくとも一方が揃っていることが確認できない第二種の帯封紙幣とを判別し、
前記制御部は、前記出金処理の実行が指示された場合に、当該出金処理に適合する種類の帯封紙幣を、前記出金部へ払い出す紙幣処理装置。
【請求項２】
前記制御部は、前記収納部から繰り出した帯封紙幣が、前記出金処理に適合しない種類の帯封紙幣である場合に、当該帯封紙幣を退避させかつ、前記出金処理に適合する種類の帯封紙幣を前記出金部へ払い出す請求項１に記載の紙幣処理装置。
【請求項３】
前記制御部は、前記出金処理の終了後、前記退避させた帯封紙幣を、前記収納部に戻す請求項２に記載の紙幣処理装置。
【請求項４】
前記制御部は、前記出金処理に適合する種類の帯封紙幣が足りない場合に、その旨を報知する請求項１〜３のいずれか１項に記載の紙幣処理装置。
【請求項５】
前記制御部は、前記出金処理に適合する種類の帯封紙幣が足りない場合に、適合する種類の帯封紙幣を作成すると共に、作成した帯封紙幣を前記出金部へ払い出す請求項４に記載の紙幣処理装置。
【請求項６】
前記制御部は、適合する種類の帯封紙幣を作成する場合に、その旨を報知する請求項５に記載の紙幣処理装置。
【請求項７】
前記制御部は、前記出金処理に適合する種類の帯封紙幣が足りない場合に、適合する種類の帯封紙幣を作成するか、適合しない種類の帯封紙幣の払い出しを許容するかを、操作者に選択させる請求項５又は６に記載の紙幣処理装置。
【請求項８】
前記制御部は、
顧客に渡す帯封紙幣を出金する第一出金処理時には、前記第一種の帯封紙幣を前記出金部に払い出しかつ、前記第二種の帯封紙幣を前記出金部へ払い出すことを制限し、
顧客に渡さない帯封紙幣を出金する第二出金処理時には、前記第一種の帯封紙幣及び
前記第二種の帯封紙幣を前記出金部へ払い出すことを制限しない請求項１〜７のいずれか１項に記載の紙幣処理装置。
【請求項９】
表裏及び天地の少なくとも一方が揃っている帯封紙幣を作成する帯封部を備え、
前記制御部は、前記帯封部が作成した帯封紙幣を前記収納部へ収納する第一処理と、外部で作成した帯封紙幣を前記収納部へ収納する第二処理と、を実行し、
前記収納部内の前記帯封紙幣の収納順と、各帯封紙幣が、前記帯封部が作成した帯封紙幣であるか、外部で作成した帯封紙幣であるかを、対応づけて記憶する記憶部を備え、
前記制御部は、前記記憶部の情報に基づいて、前記収納部から繰り出した帯封紙幣が前記第一種の帯封紙幣であるか、前記第二種の帯封紙幣であるかを判別する請求項１〜８のいずれか１項に記載の紙幣処理装置。
【発明の詳細な説明】
【技術分野】
【０００１】
ここに開示する技術は、紙幣処理装置に関する。
【背景技術】
【０００２】
特許文献１には、バラ紙幣処理ユニットと束紙幣処理ユニットとを備えた紙幣処理装置が記載されている。バラ紙幣処理ユニットは、スイッチバック方式の第一反転部と、スパイラル方式の第二反転部とを備えている。紙幣を第一反転部と第二反転部との両方を通過させると、紙幣の表裏及び天地の両方を揃えることができる。束紙幣処理ユニットは、バラ紙幣処理ユニットから、表裏及び天地の両方が揃った紙幣を受け取って帯封紙幣を作成する。出金処理時に、束紙幣処理ユニットが出金する帯封紙幣は、表裏及び天地の両方が揃っている。
【先行技術文献】
【特許文献】
【０００３】
【特許文献１】特開２０１７−１７４４２２号公報
【発明の概要】
【発明が解決しようとする課題】
【０００４】
ところで、特許文献１に記載されている束紙幣処理ユニットの収納部には、前述したように、表裏及び天地の両方が揃った紙幣から作成した帯封紙幣を収納する以外にも、当該束紙幣処理ユニットとは別の装置が作成した帯封紙幣を収納することができる。外部で作成した帯封紙幣は、表裏及び天地の両方が揃っているとは限らない。外部で作成した帯封紙幣を収納部に収納すると、束紙幣処理ユニットが出金する帯封紙幣は、表裏及び天地の両方が揃っているとは限らない。
【０００５】
例えば、顧客に渡す帯封紙幣は、紙幣の表裏及び天地の両方が揃った帯封紙幣にしたいという要求があるが、特許文献１に記載されている束紙幣処理ユニットは、出金する帯封紙幣が表裏及び天地の両方が揃っている帯封紙幣であるとは限らないため、前記要求を満足させることができない。
【０００６】
ここに開示する技術は、出金処理に適合した種類の帯封紙幣を払い出す。
【課題を解決するための手段】
【０００７】
ここに開示する技術は、紙幣処理装置に関する。紙幣処理装置は、
帯封紙幣を収納する収納部と、
前記帯封紙幣を払い出す出金部と、
出金処理時に、前記収納部から前記帯封紙幣を繰り出して、前記出金部へ払い出す制御部と、を備え、
前記制御部は、前記収納部から繰り出した帯封紙幣について、表裏及び天地の少なくとも一方が揃っていることが確認できる第一種の帯封紙幣と、表裏及び天地の少なくとも一方が揃っていることが確認できない第二種の帯封紙幣とを判別し、
前記制御部は、前記出金処理の実行が指示された場合に、当該出金処理に適合する種類の帯封紙幣を、前記出金部へ払い出す。
【０００８】
この構成によると、紙幣処理装置は、出金処理に適合する種類の帯封紙幣を、出金部へ払い出すことができる。
【０００９】
前記制御部は、前記収納部から繰り出した帯封紙幣が、前記出金処理に適合しない種類の帯封紙幣である場合に、当該帯封紙幣を退避させかつ、前記出金処理に適合する種類の帯封紙幣を前記出金部へ払い出す、としてもよい。
【００１０】
こうすることで、出金処理に適合しない種類の帯封紙幣を、出金部へ払い出さないことができる。
【００１１】
前記制御部は、前記出金処理の終了後、前記退避させた帯封紙幣を、前記収納部に戻す、としてもよい。
【００１２】
収納部に戻した帯封紙幣を、次回以降の出金処理時に、出金部へ払い出すことが可能になる。
【００１３】
前記制御部は、前記出金処理に適合する種類の帯封紙幣が足りない場合に、その旨を報知する、としてもよい。
【００１４】
操作者は、適合する種類の帯封紙幣が足りないことを認識することができる。
【００１５】
前記制御部は、前記出金処理に適合する種類の帯封紙幣が足りない場合に、適合する種類の帯封紙幣を作成すると共に、作成した帯封紙幣を前記出金部へ払い出す、としてもよい。
【００１６】
これにより、適合する種類の帯封紙幣を、不足無く出金部へ払い出すことができる。
【００１７】
前記制御部は、適合する種類の帯封紙幣を作成する場合に、その旨を報知する、としてもよい。
【００１８】
帯封紙幣の作成には時間を要するが、操作者は、そのことを理解することができる。
【００１９】
前記制御部は、前記出金処理に適合する種類の帯封紙幣が足りない場合に、適合する種類の帯封紙幣を作成するか、適合しない種類の帯封紙幣の払い出しを許容するかを、操作者に選択させる、としてもよい。
【００２０】
これにより、操作者の利便性が向上する。
【００２１】
前記制御部は、
顧客に渡す帯封紙幣を出金する第一出金処理時には、前記第一種の帯封紙幣を前記出金部に払い出しかつ、前記第二種の帯封紙幣を前記出金部へ払い出すことを制限し、
顧客に渡さない帯封紙幣を出金する第二出金処理時には、前記第一種の帯封紙幣及び
前記第二種の帯封紙幣を前記出金部へ払い出すことを制限しない、としてもよい。
【００２２】
こうすることで、顧客には、表裏及び天地の少なくとも一方が揃った帯封紙幣を渡すことができる。顧客に渡さない帯封紙幣（例えば金融機関の店舗内で使用する紙幣）は、速やかに出金することができる。
【００２３】
前記紙幣処理装置は、表裏及び天地の少なくとも一方が揃っている帯封紙幣を作成する帯封部を備え、
前記制御部は、前記帯封部が作成した帯封紙幣を前記収納部へ収納する第一処理と、外部で作成した帯封紙幣を前記収納部へ収納する第二処理と、を実行し、
前記収納部内の前記帯封紙幣の収納順と、各帯封紙幣が、前記帯封部が作成した帯封紙幣であるか、外部で作成した帯封紙幣であるかを、対応づけて記憶する記憶部を備え、
前記制御部は、前記記憶部の情報に基づいて、前記収納部から繰り出した帯封紙幣が前記第一種の帯封紙幣であるか、前記第二種の帯封紙幣であるかを判別する、としてもよい。
【００２４】
制御部は、第一種の帯封紙幣と第二種の帯封紙幣とを判別することができる。
【発明の効果】
【００２５】
以上説明したように、前記の紙幣処理装置によると、出金処理に適合した帯封紙幣を出金することができる。
【図面の簡単な説明】
【００２６】
【図１】図１は、貨幣処理装置の外観を示す斜視図である。
【図２】図２は、貨幣処理装置の構成を例示するブロック図である。
【図３】図３は、バラ紙幣処理ユニットの内部構成を例示する図である。
【図４】図４は、紙幣の天地方向及び左右方向を説明する図である。
【図５】図５は、紙幣の表裏及び天地の両方を揃えるときの、スイッチバック反転部及びスパイラル反転部の動作を説明する図である。
【図６】図６は、帯封紙幣処理ユニットの内部構成を例示する図である。
【図７】図７の左図は、第一装填処理時における、バラ紙幣処理ユニット内の紙幣の搬送経路を説明する図であり、右図は、第二装填処理時における、バラ紙幣処理ユニット内の紙幣の搬送経路を説明する図である。
【図８】図８の左図は、第一装填処理及び第二装填処理時における、帯封紙幣処理ユニット内の紙幣の搬送経路を説明する図であり、右図は、第三装填処理時における、帯封紙幣処理ユニット内の紙幣の搬送経路を説明する図である。
【図９】図９は、記憶部が記憶している収納情報を概念的に示す図である。
【図１０】図１０は、出金処理に係る制御手順を例示するフローチャートである。
【図１１】図１１は、出金処理に係る画面の遷移を例示する図である。
【図１２】図１２は、出金処理時の、帯封紙幣の搬送経路を説明する図である。
【図１３】図１３の上図は、出金処理に時間を要する場合に表示される画面例、下図は、出金処理に適合する帯封紙幣が不足している場合に表示される画面例である。
【発明を実施するための形態】
【００２７】
以下、紙幣処理装置の実施形態を図面に基づいて詳細に説明する。以下の説明は、紙幣処理装置の一例である。図１及び図２は、紙幣処理装置を含む貨幣処理装置１の構成例を示している。
【００２８】
（貨幣処理装置の全体構成）
図１は、貨幣処理装置１の外観を示している。図２は、貨幣処理装置１の構成を示すブロック図である。貨幣処理装置１は、例えば銀行等の金融機関の営業店舗に設置されかつ、入金処理及び出金処理を含む各種の処理を実行する出納機である。尚、貨幣処理装置１は、金融機関に設置することには限定されない。
【００２９】
貨幣処理装置１は、バラ紙幣処理ユニット１００、紙幣処理装置としての帯封紙幣処理ユニット２００、バラ硬貨処理ユニット３００、包装硬貨処理ユニット４００、損貨・記念貨処理ユニット５００、有価媒体処理ユニット６００、及び、貨幣保管ユニット７００、及び、これらの各処理ユニット１００〜７００を統合制御する制御部８を含んで構成されている。
【００３０】
バラ紙幣処理ユニット１００は、入金口に投入されたバラ紙幣を、ユニット内の収納部に収納する入金処理、及び、収納部に収納しているバラ紙幣を、出金口へ払い出す出金処理を行う。バラ紙幣処理ユニット１００の構成は、後述する。
【００３１】
帯封紙幣処理ユニット２００は、所定枚数（例えば１００枚）の紙幣を、帯封紙によって一つに束ねた帯封紙幣を作成しかつ、帯封紙幣をユニット内に収納する処理を行うと共に、収納している帯封紙幣を、ユニット外に出金する処理を行う。帯封紙幣処理ユニット２００とバラ紙幣処理ユニット１００とは、隣り合っている。帯封紙幣処理ユニット２００の構成は、後述する。
【００３２】
バラ硬貨処理ユニット３００は、入金口に投入されたバラ硬貨を、ユニット内の収納部に収納する入金処理、及び、収納部に収納しているバラ硬貨を、出金口へ払い出す出金処理を行う。
【００３３】
包装硬貨処理ユニット４００は、所定枚数（例えば５０枚）の硬貨を円筒形状に包装した包装硬貨を作成しかつ、包装硬貨をユニット内に収納する処理を行うと共に、収納している包装硬貨を、ユニット外に出金する処理を行う。包装硬貨処理ユニット４００とバラ硬貨処理ユニット３００とは、隣り合っている。
【００３４】
損貨・記念貨処理ユニット５００は、傷みや汚れがひどいため、バラ硬貨処理ユニット３００で処理することができないバラ硬貨（つまり、損貨）、及び、バラ硬貨処理ユニット３００が処理対象としていない記念硬貨等をユニット内に収納する入金処理を行う。損貨・記念貨処理ユニット５００は、有価媒体処理ユニット６００の上面に配置されている。
【００３５】
有価媒体処理ユニット６００は、傷みや汚れがひどいため、バラ紙幣処理ユニット１００で処理することができないバラ紙幣（つまり、損券）、及び、バラ紙幣処理ユニット１００が処理対象としていない小切手等の有価媒体をユニット内に収納する入金処理を行う。
【００３６】
貨幣保管ユニット７００は、紙幣や硬貨、又は、有価証券類等を保管する収納ドロワを複数備えている。操作者は、収納ドロワを開閉することによって、収納ドロワに紙幣等を収納したり、収納ドロワから紙幣等を取り出したりすることができる。
【００３７】
制御部８は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、貨幣保管ユニット７００を制御することによって、銀行の営業店舗における貨幣の出入の管理を行う。貨幣処理装置１は、当該貨幣処理装置１に収納されている紙幣及び硬貨だけでなく、営業店舗の金庫に保管している貨幣の在高、及び、手持ち管理の貨幣の在高の管理も行う。
【００３８】
貨幣処理装置１はまた、第一ターミナル部４１、第二ターミナル部４２、プリンタ５０、及び、記憶部５１を備えている。
【００３９】
第一ターミナル部４１は、包装硬貨処理ユニット４００の上面に配置されており、第二ターミナル部４２は、帯封紙幣処理ユニット２００の上面に配置されている。第一ターミナル部４１及び第二ターミナル部４２は同じ構成を有している。第一ターミナル部４１及び第二ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第一ターミナル部４１及び第二ターミナル部４２はまた、操作者の認証を行うために、カード情報を読み取るカードリーダを有している。
【００４０】
プリンタ５０は、例えば感熱式プリンタや、インクジェットプリンタによって構成される。プリンタ５０は、取引を行う毎に伝票の印刷をしたり、各種のジャーナルの印刷を行ったりする。プリンタ５０は、バラ紙幣処理ユニット１００の上面と、バラ硬貨処理ユニット３００の上面とのそれぞれに配置されている。
【００４１】
記憶部５１は、例えばハードディスクドライブや、不揮発性メモリによって構成されている。記憶部５１は、貨幣処理装置１において収納している紙幣及び硬貨の在高情報を記憶している。記憶部５１はまた、貨幣処理装置１が行った取引の情報を記憶している。
【００４２】
（バラ紙幣処理ユニットの構成）
図３は、バラ紙幣処理ユニット１００の構成を例示している。バラ紙幣処理ユニット１００には、バラ紙幣を出金するための出金口１０１とバラ紙幣を入金するための入金口１０２が設けられている。
【００４３】
バラ紙幣処理ユニット１００は、入金部１０３と、入金リジェクト部１０４と、出金部１０５と、出金リジェクト部１０６と、搬送部１０７と、入金識別部１０８と、出金識別部１０９と、スイッチバック反転部１１０と、スパイラル反転部１１１と、四つの収納部１１２と、四つの一時保留部１１３と、二つの集積部１１４と、運搬部１１５と、を備えている。
【００４４】
入金部１０３は、入金口１０２につながっている。ユーザーは、入金口１０２を通じて入金部１０３にバラ紙幣を投入する。入金部１０３は、繰出機構１０３ａを備えている。繰出機構１０３ａは、入金部１０３に投入されたバラ紙幣を一枚ずつ繰り出す。
【００４５】
入金リジェクト部１０４は、入金識別部１０８によってリジェクト紙幣と識別された紙幣を受け取る。入金リジェクト部１０４は、入金口１０２につながっている。ユーザーは、入金口１０２を通じて入金リジェクト部１０４からバラ紙幣を取り出すことができる。
【００４６】
出金部１０５は、収納部１１２から繰り出された紙幣を受け取る。出金部１０５は、出金口１０１につながっている。ユーザーは、出金口１０１を通じて出金部１０５からバラ紙幣を取り出すことができる。出金リジェクト部１０６は、主に、出金識別部１０９によりリジェクト紙幣と識別された紙幣を受け取る。
【００４７】
搬送部１０７は、ベルト機構、ローラー機構等により構成されている。搬送部１０７は、入金部１０３から収納部１１２（正確には、後述の一時保留部１１３）までをつなぐ入金搬送路１１６と、収納部１１２から出金部１０５までをつなぐ出金搬送路１１７と、入金搬送路１１６と出金搬送路１１７とをつなぐ循環搬送路１１８及びバイパス路１１９と、入金リジェクト搬送路１２０と、二つの集積搬送路１２１と、出金リジェクト搬送路１２２と、を含んでいる。
【００４８】
循環搬送路１１８は、出金搬送路１１７におけるスパイラル反転部１１１と集積部１１４との間と、入金搬送路１１６における入金識別部１０８とスイッチバック反転部１１０との間とをつないでいる。バイパス路１１９は、入金搬送路１１６の先端から分岐して、出金搬送路１１７における集積部１１４の上流に接続されている。入金リジェクト搬送路１２０は、入金搬送路１１６から分岐して、入金リジェクト部１０４に接続されている。二つの集積搬送路１２１はそれぞれ、出金搬送路１１７から分岐して、集積部１１４に接続されている。出金リジェクト搬送路１２２は、出金搬送路１１７から分岐して、出金リジェクト部１０６に接続されている。
【００４９】
図４に示すように長方形状である紙幣ＢＮは、長手の縁を前にして搬送路に沿って搬送される。搬送部１０７は、紙幣を一枚一枚、間隔を空けて、各搬送路に沿って搬送する。
【００５０】
入金識別部１０８は、入金搬送路１１６に配設されている。より詳細に、入金識別部１０８は、入金搬送路１１６において、入金部１０３と、循環搬送路１１８の接続位置との間に配設されている。入金識別部１０８は、紙幣の金種、真偽、表裏、向き、正損、新旧、搬送状態等を識別する。
【００５１】
出金識別部１０９は、出金搬送路１１７に配設されている。より詳細に、出金識別部１０９は、出金搬送路１１７において、収納部１１２と、スパイラル反転部１１１との間に配設されている。出金識別部１０９は、紙幣の金種、真偽、表裏、向き、正損、新旧、搬送状態等を識別する。
【００５２】
ここで、入金識別部１０８及び出金識別部１０９が識別を行う紙幣の方向について説明をする。紙幣の方向は、紙幣の表裏と向きとの組み合わせによって、Ａ方向、Ｂ方向、Ｃ方向及びＤ方向の四つの方向に定まる。紙幣の天地方向は、図４に示すように、紙幣ＢＮに描かれた肖像画を基準とした上下の方向である。紙幣の左右方向は、天地方向に直交する方向である。長手の縁を前にして搬送される紙幣において、天地方向は、搬送方向に一致する。左右方向は、搬送方向に直交する。尚、以下の説明において、搬送方向に直交する方向を、搬送幅方向と呼ぶ場合がある。
【００５３】
図５に示すように、Ａ方向は、紙幣が表向きでかつ、搬送方向に対して紙幣の天地方向が従う方向である。Ｂ方向は、紙幣が表向きでかつ、搬送方向に対して紙幣の天地方向が逆らう方向である。Ｃ方向は、紙幣が裏向きでかつ、搬送方向に対して紙幣の天地方向が逆らう方向である。Ｄ方向は、紙幣が裏向きでかつ、搬送方向に対して紙幣の天地方向が従う方向である。
【００５４】
スイッチバック反転部１１０は、入金搬送路１１６における、循環搬送路１１８の接続箇所よりも下流に配置されている。スイッチバック反転部１１０は、入金識別部１０８の識別結果に応じて、紙幣の表裏及び天地方向の両方を、選択的に反転する。スイッチバック反転部１１０は、紙幣の表裏及び天地方向を反転させるスイッチバック方式の反転パス１１０ａと、紙幣の表裏及び天地方向を反転することなく通過させるバイパス１１０ｂと、を有している。
【００５５】
反転パス１１０ａを通過した紙幣は、搬送幅方向の向きを変えずに、紙幣の表裏と搬送方向の向き（つまり、天地方向の向き）との両方が反転する。スイッチバック反転部１１０は、入金識別部１０８の識別結果に応じて、表裏及び天地方向の向きを反転する必要がある紙幣は、反転パス１１０ａを通過させ、表裏及び天地方向の向きを反転する必要がない紙幣は、バイパス１１０ｂを通過させる。
【００５６】
スパイラル反転部１１１は、出金搬送路１１７において、出金識別部１０９よりも下流かつ、循環搬送路１１８の接続箇所よりも上流に設けられている。スパイラル反転部１１１は、紙幣の搬送幅方向の向きを、選択的に反転する。スパイラル反転部１１１は、紙幣の搬送幅方向の向きを反転させる反転パス１１１ａと、紙幣の搬送幅方向の向きを反転することなく通過させるバイパス１１１ｂと、を有している。反転パス１１１ａには、紙幣を反転する反転機構１１１ｃが配設されている。バイパス１１１ｂには、バイパス路１１９が接続されている。反転機構１１１ｃは、この構成例では、紙幣の搬送方向に沿って伸びる軸回りに、紙幣を回転させる、いわゆるスパイラル方式に構成されている。反転機構１１１ｃは、紙幣の搬送方向に直交する搬送幅方向（つまり、紙幣の左右方向）の向きと、紙幣の表裏との両方を反転することができる。スパイラル反転部１１１は、スイッチバック反転部１１０とは機能が相違する。反転機構１１１ｃの構成の詳細は省略するが、スパイラル方式の反転機構１１１ｃは、公知の様々な構成を採用することができる。
【００５７】
スパイラル反転部１１１は、出金識別部１０９の識別結果に応じて、左右方向の向きを反転する必要がある紙幣は、反転パス１１１ａを通過させ、左右方向の向きを反転する必要がない紙幣は、バイパス１１１ｂを通過させる。反転機構１１１ｃの下流において、反転パス１１１ａとバイパス１１１ｂとは合流する。このバラ紙幣処理ユニット１００は、スイッチバック反転部１１０とスパイラル反転部１１１との二種類の反転部を備えることにより、紙幣の表裏及び天地方向の向きの両方を揃えることができる。
【００５８】
ここで、図５に示すフローを参照しながら、紙幣の表裏及び天地方向の向きを揃えるための、スイッチバック反転部１１０及びスパイラル反転部１１１の動作について説明する。ここでは、入金部１０３から取り込まれた紙幣がスイッチバック反転部１１０を通過した後、収納部１１２に収納される入金処理、及び、収納部１１２から繰り出された紙幣がスパイラル反転部１１１を通過した後、出金部１０５に投出される出金処理が行われる例において、スイッチバック反転部１１０及びスパイラル反転部１１１の動作を説明する。尚、以下の説明においては、スイッチバック反転部１１０及びスパイラル反転部１１１によって、紙幣をＡ方向に揃えるとする。但し、紙幣の揃えの向きは、Ａ方向に限らず、Ｂ方向、Ｃ方向及びＤ方向のいずれであってもよい。
【００５９】
入金部１０３が繰り出した紙幣は、入金識別部１０８によって識別される。入金識別部１０８の識別結果による紙幣の方向に応じて、図５のプロセスは、ステップＳ４１〜Ｓ４４に進む。つまり、紙幣がＡ方向であるときに、プロセスはステップＳ４１に進み、紙幣がＢ方向であるときに、プロセスはステップＳ４２に進み、紙幣がＣ方向であるときに、プロセスはステップＳ４３に進み、紙幣がＤ方向であるときに、プロセスはステップＳ４４に進む。
【００６０】
ステップＳ５１〜Ｓ５４は、スイッチバック反転部１１０における反転動作に係る。ステップＳ４１に続くステップＳ５１においては、紙幣を反転させる必要がないため、スイッチバック反転部１１０は、紙幣を通過させる。つまり、紙幣は、バイパス１１０ｂを通過する。紙幣の方向はＡ方向のままである（ステップＳ６１参照）。ステップＳ４２に続くステップＳ５２において、スイッチバック反転部１１０は、紙幣を反転させる。つまり、紙幣は、反転パス１１０ａを通過する。これにより、紙幣の表裏及び天地方向の向きの両方が反転し、紙幣の方向はＢ方向からＤ方向になる（ステップＳ６２参照）。ステップＳ４３に続くステップＳ５３において、スイッチバック反転部１１０は、紙幣を反転させる。これにより、紙幣の方向はＣ方向からＡ方向になる（ステップＳ６３参照）。ステップＳ４４に続くステップＳ５４において、スイッチバック反転部１１０は、紙幣を通過させる。紙幣の方向はＤ方向のままである（ステップＳ６４参照）。スイッチバック反転部１１０は、紙幣の天地を揃えている。つまり、スイッチバック反転部１１０を通過した紙幣の方向は、特定の方向（Ａ方向又はＤ方向）を向いている。スイッチバック反転部１１０を通過した紙幣は、収納部１１２に収納される。収納部１１２は、特定の方向を向いた紙幣を収納している。
【００６１】
収納部１１２が繰り出した紙幣は、出金識別部１０９によって識別される。図５のプロセスは、ステップＳ５１、Ｓ５２、Ｓ５３、及びＳ５４に対応して、ステップＳ６１、Ｓ６２、Ｓ６３、及びＳ６４に分かれる。紙幣は、前述したように、Ａ方向又はＤ方向である。
【００６２】
ステップＳ７１〜７４は、スパイラル反転部１１１における反転動作に係る。ステップＳ６１に続くステップＳ７１においては、紙幣を反転させる必要がないため、スパイラル反転部１１１は、紙幣を通過させる。つまり、紙幣は、バイパス１１１ｂを通過する。紙幣の方向はＡ方向のままである。ステップＳ６２に続くステップＳ７２において、スパイラル反転部１１１は、紙幣を反転させる。つまり、紙幣は、反転パス１１１ａを通過する。これにより、紙幣の表裏及び左右方向の向きの両方が反転し、紙幣の方向はＤ方向からＡ方向になる。ステップＳ６３に続くステップＳ７３において、スパイラル反転部１１１は、紙幣を通過させる。これにより、紙幣の方向はＡ方向のままになる。ステップＳ６４に続くステップＳ７４において、スパイラル反転部１１１は、紙幣を反転させる。紙幣の方向はＤ方向からＡ方向になる。こうして、紙幣の方向は全てＡ方向に揃う。
【００６３】
収納部１１２は、入金された紙幣を金種別に収納するために利用される。たとえば、四つの収納部１１２のそれぞれに対し、一万円、千円、５千円、及び、混合の金種が割り当てられている。収納部１１２内には、紙幣が上下に積まれるように収納される。収納部１１２には、その天面に紙幣の入口が形成され、その底面に紙幣の出口が形成される。収納部１１２には、その底面側に繰出部１１２ａが設けられている。繰出部１１２ａは、収納部１１２内の紙幣を、一枚ずつ出金搬送路１１７に繰り出すことができる。収納部１１２は、先に入れた紙幣を先に出す、いわゆる先入れ先出しに構成されている。尚、混合金種の収納部１１２には、対応する金種別の収納部１１２に収納できないオーバーフロー紙幣や、金種を識別できるものの払出しには適さない損傷紙幣（損券）や、対応する収納部１１２が設けられていない２千円紙幣等が収納される。
【００６４】
一時保留部１１３は、対応する収納部１１２の上方に配置される。一時保留部１１３は、収納部１１２に収納される紙幣を、その収納前に一時的に収納する。四つの一時保留部１１３には、入金搬送路１１６が分岐して接続されている。一時保留部１１３に収納された紙幣は、対応する収納部１１２へ送られる。一時保留部１１３はまた、手動で、バラ紙幣処理ユニット１００の外に引き出すことができる。ユーザーは、一時保留部１１３に収納されている紙幣を手で取り出すことができる。
【００６５】
各集積部１１４は、所定の帯封枚数（通常は、１００枚）となるまで、紙幣を集積する。運搬部１１５は、一対のアームを備えている。運搬部１１５は、集積部１１４に集積されているバラ紙幣を、一対のアームで挟んで集積部１１４内から取り出し、後述する帯封紙幣処理ユニット２００の帯封部２０１へ運搬する。
【００６６】
（帯封紙幣処理ユニットの構成）
図６は、帯封紙幣処理ユニット２００の構成を例示している。帯封紙幣処理ユニット２００は、帯封部２０１と、第一搬送部２０２と、昇降部２０３と、第二搬送部２０４と、五つのスタッカ２０５と、を備える。
【００６７】
帯封部２０１は、運搬部１１５の前方に設けられ、運搬部１１５によって搬送されてきたバラ紙幣の束を、帯封紙によって帯封することで帯封紙幣を作成する。帯封部２０１は、帯封紙に印刷を行う印刷部２０１ａを有している。印刷部２０１ａは、帯封紙に印字を行う印字部及び帯封紙にスタンプを押す押印部を含んでいる。
【００６８】
第一搬送部２０２は、帯封部２０１の前方に設けられている。第一搬送部２０２は、前後方向に延びる上下一対のベルトユニット２０２ａを有している。第一搬送部２０２は、上下一対のベルトユニット２０２ａの間に帯封紙幣を挟んで、前方の昇降部２０３へ帯封紙幣を搬送する。
【００６９】
昇降部２０３は、帯封紙幣処理ユニット２００の前面に沿うように上下に延びる昇降スペース２０３ａと、帯封紙幣を載置した状態で、昇降スペース２０３ａ内を昇降するリフト２０３ｂとを含んでいる。昇降スペース２０３ａは、その上部において入出金口２０６につながり、その下部において投出口２０７につながる。リフト２０３ｂは、投出口２０７の位置を待機位置とし、この待機位置と第一搬送部２０２及び入出金口２０６がある上限位置との間を昇降する。
【００７０】
リフト２０３ｂは、ベースと、ベース上に積層されかつ、ベースに対して傾斜可能な載置板とを備える。帯封紙幣を載せたリフト２０３ｂが待機位置にあるときに載置板が傾斜すると、帯封紙幣が載置板から滑り落ちて投出口２０７から投出される。また、リフト２０３ｂは、第一搬送部２０２から帯封紙幣を受け取り、受け取った帯封紙幣を第二搬送部２０４まで搬送する。さらに、リフト２０３ｂは、第二搬送部２０４から帯封紙幣を受け取り、受け取った帯封紙幣を入出金口２０６や投出口２０７の位置まで搬送する。
【００７１】
第二搬送部２０４は、前後に離れて配置された一対のローラー２０４ａの間に架け渡されたベルトによって構成されている。ベルトは、図６における時計回りと反時計回りの双方に周回することができる。ベルトには、複数の突起が等間隔で形成されている。ベルトの周回に伴って突起が前後に移動することにより、ベルトの下方に設けられた束搬送路２０４ｂの上を、突起に押されて帯封紙幣が移動する。
【００７２】
ベルトの前端部は、昇降スペース２０３ａ内に張り出している。第二搬送部２０４には、一対のローラー２０４ａの間に、支点ローラー２０４ｃが設けられており、ベルトは、前側のローラー２０４ａと支点ローラー２０４ｃとの間の部分が、支点ローラー２０４ｃを支点として、昇降スペース２０３ａ内に進出する進出位置と昇降スペース２０３ａ内から退避する退避位置との間で回動する（二点鎖線の矢印参照）。リフト２０３ｂが第一搬送部２０２側から降下するときには、ベルトが退避位置に退避するため、リフト２０３ｂの降下が邪魔されない。一方、リフト２０３ｂが束搬送路２０４ｂの高さ位置まで降下して停止すると、ベルトが進出位置に進出する。これにより、リフト２０３ｂに載せられた帯封紙幣を束搬送路２０４ｂへ移動させたり、束搬送路２０４ｂを搬送された帯封紙幣をリフト２０３ｂに載せたりすることが可能となる。
【００７３】
スタッカ２０５は、帯封部２０１により生成された帯封紙幣を金種別に収納するために利用される。たとえば、５つのスタッカ２０５のそれぞれに対し、一括（混合）、一万円、一万円、５千円、及び、千円の金種が割り当てられている。スタッカ２０５内には、帯封紙幣が上下に積まれるように収納される。収納された帯封紙幣を昇降させるため、スタッカ２０５内に昇降ステージ２０５ａが設けられている。尚、一括（混合）のスタッカ２０５には、対応する金種別のスタッカ２０５に収納できなかったオーバーフロー帯封紙幣等が収納される。
【００７４】
束搬送路２０４ｂには、各スタッカ２０５の上方にシャッターにより開閉される出入口が設けられている。束搬送路２０４ｂからスタッカ２０５へ帯封紙幣を収納する際やスタッカ２０５から束搬送路２０４ｂへ帯封紙幣を送り出す際にシャッターが開放され、出入口が開く。出入口を通じてスタッカ２０５に帯封紙幣が出し入れされる。一方、シャッターが閉鎖された状態では、上面を帯封紙幣が通過する。また、束搬送路２０４ｂには、帯封紙幣の、少なくとも金種を識別するための識別部２０４ｄが、帯封紙幣の上面及び下面のそれぞれに対応して配設されている。
【００７５】
（帯封紙幣処理ユニットの装填処理）
以下、帯封紙幣処理ユニット２００のスタッカ２０５へ帯封紙幣を装填する装填処理について説明をする。この貨幣処理装置１は、装填処理として、第一装填処理、第二装填処理及び第三装填処理の三種類の装填処理を行うことが可能である。
【００７６】
（第一装填処理）
第一装填処理は、バラ紙幣処理ユニット１００の収納部１１２から繰り出した紙幣を帯封紙幣処理ユニット２００へと送り、帯封紙幣処理ユニット２００が作成した帯封紙幣を、スタッカ２０５に装填する処理である。
【００７７】
図７の左図は、第一装填処理時のバラ紙幣処理ユニット１００における紙幣の搬送経路を例示している。ここで、バラ紙幣処理ユニット１００の収納部１１２に収納されている紙幣は、スイッチバック反転部１１０を通過した紙幣であり、その方向は、図５に示したように、Ａ方向又はＤ方向である。
【００７８】
装填対象の紙幣を収納している収納部１１２の繰出部１１２ａは、収納部１１２から紙幣を一枚ずつ繰り出す。図７に黒矢印で示すように、搬送部１０７は、出金搬送路１１７に沿って、紙幣を一枚ずつ搬送する。出金識別部１０９は、紙幣の識別を行う。スパイラル反転部１１１は、反転が必要な紙幣を選択的に反転させる。これにより、スパイラル反転部１１１を通過した紙幣は、表裏及び天地の両方が揃っている（全てＡ方向）。搬送部１０７はその後、紙幣を、出金搬送路１１７及び集積搬送路１２１を通じて、集積部１１４へ搬送する。こうして、表裏及び天地の両方が揃った紙幣が集積部１１４に集積される。尚、出金識別部１０９がリジェクト紙幣と識別した紙幣は、搬送部１０７によって、出金リジェクト部１０６へ搬送される。
【００７９】
集積部１１４に帯封枚数分の紙幣が集積されると、運搬部１１５が紙幣の束を集積部１１４から取り出して、帯封紙幣処理ユニット２００の帯封部２０１へ運搬する。図８の左図は、第一装填処理時における、帯封紙幣処理ユニット２００内の紙幣の搬送経路を例示している。運搬部１１５から紙幣の束を受け取った帯封部２０１は、帯封紙幣を作成する。作成された帯封紙幣は、第一搬送部２０２、昇降部２０３、及び第二搬送部２０４を通じて、金種に対応するスタッカ２０５に収納される。こうして、第一装填処理時には、紙幣の表裏及び天地の両方が揃った帯封紙幣が、スタッカ２０５に収納（つまり、装填）される。
【００８０】
（第二装填処理）
図７の右図は、第二装填処理時における紙幣の搬送経路を示している。第二装填処理は、バラ紙幣処理ユニット１００の入金部１０３に投入されたバラ紙幣を帯封紙幣処理ユニット２００へと送り、帯封紙幣処理ユニット２００が作成した帯封紙幣を、スタッカ２０５に収納する処理である。
【００８１】
図７の右図に黒矢印で示すように、搬送部１０７は、入金部１０３から繰り出された紙幣を、入金搬送路１１６に沿って入金識別部１０８へ搬送する。入金識別部１０８は、紙幣の識別を行う。スイッチバック反転部１１０は、入金識別部１０８の識別結果に基づいて、反転が必要な紙幣を選択的に反転させる。入金処理時とは異なり、スイッチバック反転部１１０は、紙幣の表裏を揃えてもよい。そうすることで、少なくとも表裏が揃った帯封紙幣を、帯封紙幣処理ユニット２００のスタッカに収納することができる。尚、入金識別部１０８がリジェクト紙幣と識別した紙幣は、搬送部１０７によって、入金リジェクト搬送路１２０を通じて、入金リジェクト部１０４へ搬送される。例えば装填対象の金種以外の金種の紙幣は、リジェクト紙幣として入金リジェクト部１０４へ搬送される。
【００８２】
搬送部１０７は、スイッチバック反転部１１０を通過した紙幣を、バイパス路１１９から、出金搬送路１１７及び集積搬送路１２１を通って、集積部１１４へ搬送する。集積部１１４には、少なくとも表裏が揃った紙幣が集積される。
【００８３】
集積部１１４に帯封枚数分の紙幣が集積されると、運搬部１１５が紙幣の束を集積部１１４から取り出して、帯封紙幣処理ユニット２００の帯封部２０１へ運搬する。その後は、第一装填処理と同じである。つまり、図８の左図に示すように、運搬部１１５から紙幣の束を受け取った帯封部２０１は、帯封紙幣を作成する。作成された帯封紙幣は、第一搬送部２０２、昇降部２０３、及び第二搬送部２０４を通じて、金種に対応するスタッカ２０５に収納される。こうして、第二装填処理時には、紙幣の、少なくとも表裏が揃った帯封紙幣が、スタッカ２０５に収納（つまり、装填）される。
【００８４】
（第三装填処理）
第三装填処理は、帯封紙幣処理ユニット２００が帯封紙幣を作成するのではなく、既に作成されている帯封紙幣を、帯封紙幣処理ユニット２００のスタッカ２０５に装填する処理である。
【００８５】
図８の右図は、第三装填処理時の、帯封紙幣処理ユニット２００における紙幣の搬送経路を例示している。操作者は、装填対象の帯封紙幣を、入出金口２０６を通じて、昇降部２０３のリフト２０３ｂに置く。
【００８６】
昇降部２０３及び第二搬送部２０４は、リフト２０３ｂに置かれた帯封紙幣を、スタッカ２０５へ搬送する。スタッカ２０５は、識別部２０４ｄの識別結果に基づいて、金種別に、帯封紙幣を収納する。
【００８７】
第三装填処理時にスタッカ２０５に装填される帯封紙幣は、帯封紙幣処理ユニット２００で作成されたものではない。そのため、貨幣処理装置１は、当該帯封紙幣の表裏及び天地に両方が揃っているか、又は、少なくとも表裏が揃っているかを確認（又は保証）することができない。以下の説明では、第一装填処理時にスタッカ２０５に装填された帯封紙幣は、表裏及び天地の両方が揃っていることが確認できるため、「揃い束」と呼ぶ場合がある。揃い束は第一種の帯封紙幣に相当する。また、第二装填処理時にスタッカ２０５に装填された帯封紙幣は、表裏及び天地の両方が揃っていない可能性があり、第三装填処理時にスタッカ２０５に装填された帯封紙幣は、表裏及び天地の両方が揃っていることが確認できない。これらの帯封紙幣は、「非揃い束」と呼ぶ場合がある。非揃い束は第二種の帯封紙幣に相当する。帯封紙幣処理ユニット２００のスタッカ２０５には、揃い束と非揃い束とが混在する。
【００８８】
貨幣処理装置１は、帯封紙幣処理ユニット２００のスタッカ２０５に収納している帯封紙幣に関する情報を、記憶部５１に記憶している。図９は、記憶部５１が記憶している情報を概念的に示している。記憶部５１は、装填処理を実行した際に帯封紙幣を収納したスタッカ２０５の情報に基づき、各スタッカ２０５に収納している帯封紙幣の順番と、各帯封紙幣が揃い束であるか、非揃い束であるかを対応づけて記憶している。制御部８は、記憶部５１が記憶している情報に基づいて、スタッカ２０５から繰り出した帯封紙幣が、揃い束であるか、非揃い束であるかを判断することができる。
【００８９】
（帯封紙幣の出金処理）
図１０は、帯封紙幣の出金処理の制御手順を例示するフローチャートである。図１１は、出金処理の際に、第一ターミナル部４１又は第二ターミナル部４２に表示される画面の遷移を例示する図である。図１２は、出金処理時の、帯封紙幣の搬送経路を示す図である。
【００９０】
図１１のＤ１は、貨幣処理装置１のメニュー画面を例示している。メニュー画面Ｄ１で操作者が「出金」を選択すると、第一出金処理が開始する。第一出金処理は、顧客へ渡す貨幣を出金する処理である。第一ターミナル部４１又は第二ターミナル部４２は、第一出金処理で出金する金額等を入力するための画面Ｄ２を表示する。メニュー画面Ｄ１で操作者が「入出金」を選択すると、第一ターミナル部４１又は第二ターミナル部４２は、入出金のメニュー画面Ｄ３を表示する。このメニュー画面Ｄ３で、操作者が「回金出金」を選択すると、第二出金処理が開始する。第二出金処理は、営業店舗内で使用する貨幣、言い替えると、顧客へ渡さない貨幣を出金する処理である。第一ターミナル部４１又は第二ターミナル部４２は、第二出金処理で出金する金額等を入力するための画面Ｄ４を表示する。
【００９１】
図１０のフローチャートのスタート後のステップＳ１において、制御部８は、帯封紙幣の出金が指示されたか否かを判断する。ステップＳ１の判断がＮＯの場合、プロセスはステップＳ１を繰り返す。ステップＳ１の判断がＹＥＳの場合、プロセスはステップＳ２に進む。ステップＳ２で制御部８は、第一出金処理が指示されたか否かを判断する。ステップＳ２の判断がＹＥＳの場合、プロセスはステップＳ４に進む。ステップＳ２の判断がＮＯの場合、プロセスはステップＳ３に進む。
【００９２】
ステップＳ３で制御部８は、第二出金処理が指示されたか否かを判断する。ステップＳ３の判断がＹＥＳの場合、プロセスはステップＳ１２に進む。ステップＳ３の判断がＮＯの場合、プロセスはステップＳ１に戻る。
【００９３】
ステップＳ４において、制御部８は、指定された金種の帯封紙幣を、帯封紙幣処理ユニット２００のスタッカ２０５から繰り出す。図１２の例は、左から三番目の第３スタッカ２０５が帯封紙幣を繰り出している。続くステップＳ５で、制御部８は、図９に例示した記憶部５１の情報に基づいて、繰り出した帯封紙幣が揃い束であるか否かを判断する。揃い束である場合、プロセスはステップＳ６に進み、非揃い束である場合、プロセスはステップＳ７に進む。
【００９４】
ステップＳ６において制御部８は、揃い束である帯封紙幣を出金するために、第二搬送部２０４を通じて当該帯封紙幣を昇降部２０３のリフト２０３ｂの上に置く。一方、ステップＳ７において制御部８は、非揃い束である帯封紙幣を出金しないために、当該帯封紙幣を退避させる。具体的に、図１２の例では、白矢印で示すように、帯封紙幣を、繰り出した第３スタッカ２０５とは異なる、左から二番目の第２スタッカ２０５に収納している。尚、帯封紙幣の退避先は、第２スタッカ２０５に限らず、その他のスタッカ２０５であってもよい。また、スタッカ２０５以外に退避可能な場所（例えば帯封紙幣の回収部等）があれば、当該場所に帯封紙幣を退避させてもよい。ステップＳ７の後、プロセスはステップＳ４に戻り、新たな帯封紙幣をスタッカ２０５から繰り出す。
【００９５】
ステップＳ８で制御部８は、出金処理で指示された帯封紙幣が全て繰り出されて、リフト２０３ｂに置かれたか否かを判断する。ステップＳ８の判断がＮＯの場合、プロセスはステップＳ４に戻る。ステップＳ８の判断がＹＥＳの場合、プロセスはステップＳ９に進む。ステップＳ９で、制御部８は、入出金口２０６を通じて、リフト２０３ｂ上の帯封紙幣を払い出す（図１２の黒矢印参照）。
【００９６】
ステップＳ９の後のステップＳ１０で、制御部８は、退避した帯封紙幣が有るか否かを判断する。退避した帯封紙幣が無ければプロセスは終了する。退避した帯封紙幣が有れば、プロセスはステップＳ１１に進む。ステップＳ１１で制御部８は、図１２に破線の矢印で示すように、退避していた帯封紙幣を、元のスタッカ２０５へ戻す。元のスタッカ２０５へ戻した帯封紙幣は、後述する第二出金処理時に払い出される可能性がある。
【００９７】
第二出金処理に係るステップＳ１２で、制御部８は、指定された金種の帯封紙幣を、帯封紙幣処理ユニット２００のスタッカ２０５から繰り出す。続くステップＳ１３で、制御部８は、非揃い束であっても出金するために、繰り出した帯封紙幣を全て、リフト２０３ｂの上に置く。
【００９８】
ステップＳ１４で制御部８は、出金処理で指示された帯封紙幣が全てスタッカ２０５から繰り出されて、リフト２０３ｂに置かれたか否かを判断する。ステップＳ１４の判断がＮＯの場合、プロセスはステップＳ１２に戻る。ステップＳ１４の判断がＹＥＳの場合、プロセスはステップＳ１５に進む。ステップＳ１５で、制御部８は、入出金口２０６を通じて、リフト２０３ｂ上の帯封紙幣を払い出し、プロセスは終了する。
【００９９】
こうして、第一出金処理では、揃い束のみが出金される。顧客に、表裏及び天地の両方が揃った帯封紙幣を渡すことができる。第二出金処理では、揃い束及び非揃い束の両方が出金される可能性がある。第二出金処理は、第一出金処理よりも、処理時間が短縮する可能性がある。
【０１００】
貨幣処理装置１は、第一出金処理及び第二出金処理のそれぞれに適合した帯封紙幣を出金することができる。
【０１０１】
尚、第一出金処理時及び第二出金処理時に、帯封紙幣を、投出口２０７を通じて、出金してもよい。
【０１０２】
尚、帯封紙幣処理ユニット２００内に収納している帯封紙幣を回収する回収処理時には、揃い束及び非揃い束の両方が、入出金口２０６又は投出口２０７を通じて、出金される。
【０１０３】
尚、第一出金処理時に、スタッカ２０５に収納されている非揃い束が多く、非揃い束を退避させるために時間を要する場合には、例えば図１３の上図に示すように、出金処理に要する時間が長くなることを、報知画面Ｄ５によって、操作者に報知するようにしてもよい。操作者は、処理時間が長くなることを認識することができる。報知画面Ｄ５はまた、処理をそのまま続行するか、非揃い束の出金を許容するか、を選択するボタンを表示している。操作者が、「そのまま続行する」を選択した場合、帯封紙幣処理ユニット２００は、揃い束のみを出金する。操作者が「非揃い束を許容する」を選択した場合、帯封紙幣処理ユニット２００は、非揃い束を退避させずに出金する。この場合は、処理時間を短縮させることができる。
【０１０４】
また、第一出金処理時に、スタッカ２０５に収納されている揃い束が少なく、指定された数の揃い束を出金することができない場合には、例えば図１３の下図に示すように、揃い束が足りないことを、報知画面Ｄ６によって、操作者に報知するようにしてもよい。操作者は、揃い束が足りないことを認識することができる。報知画面Ｄ６はまた、揃い束を作成して、スタッカ２０５に収納せずに出金するか、非揃い束の出金を許容するか、を選択するボタンを表示している。操作者が、「補充する」を選択した場合は、前述した第一装填処理に準じて、バラ紙幣処理ユニット１００から帯封紙幣処理ユニット２００へ、表裏及び天地の両方が揃った紙幣を送ると共に、帯封紙幣処理ユニット２００が表裏及び天地の両方が揃った帯封紙幣を作成して出金する。この場合は、処理時間が長くなる。制御部８は、揃い束を作成すると処理時間が長くなる旨を、第一ターミナル部４１又は第二ターミナル部４２を通じて操作者に報知してもよい。操作者が「非揃い束を許容する」を選択した場合、帯封紙幣処理ユニット２００は、非揃い束を退避させずに出金する。この場合は、処理時間を短縮させることができる。
【０１０５】
尚、前述した第二装填処理は、表裏及び天地の両方が揃った帯封紙幣を作成することができない。しかしながら、例えば官封券のような、予め表裏及び天地の両方が揃ったバラ紙幣がバラ紙幣処理ユニット１００の入金部１０３に投入された場合は、バラ紙幣処理ユニット１００から帯封紙幣処理ユニット２００へ、表裏及び天地の両方が揃った紙幣を送ることができる。バラ紙幣処理ユニット１００の入金識別部１０８が、帯封枚数分の紙幣の、表裏及び天地の両方が揃っていることを識別した場合、当該紙幣によって作成しかつ、スタッカ２０５に収納した帯封紙幣は、揃い束として取り扱うようにしてもよい。
【０１０６】
また、前述した第三装填処理とは異なり、操作者が、帯封紙幣処理ユニット２００のスタッカ２０５に直接、帯封紙幣を手で装填した場合には、記憶部５１が記憶していた、当該スタッカ２０５に収納している帯封紙幣の揃い情報（図９参照）を保証することができない。そのため、当該スタッカ２０５に収納している帯封紙幣を、全て非揃い束として取り扱うようにしてもよい。こうすることで、顧客に、非揃い束を渡してしまうことを防止することができる。
【０１０７】
また、前記の構成では、記憶部５１は、スタッカ２０５の収納順と、揃い束か非揃い束かの情報とを対応づけて記憶しているが、例えば帯封紙幣処理ユニット２００の識別部２０４ｄが、帯封紙幣の上面及び／又は下面の紙幣の記番号を読み取ると共に、読み取った記番号と、揃い束か非揃い束かの情報とを対応づけて記憶するようにしてもよい。
【０１０８】
さらに、前記の構成では、第一出金処理時には、揃い束のみを出金するようにしているが、操作者の操作によって、第一出金処理時に非揃い束の出金も許容するよう、設定を変更可能にしてもよい。また、第二出金処理時に、揃い束及び非揃い束の両方を出金するようにしているが、操作者の操作によって、第二出金処理時に非揃い束を優先的に出金するよう、設定を変更可能にしてもよい。こうすることで、揃い束をスタッカ２０５に、できるだけ残すことが可能になり、第一出金処理時に、揃い束をスムースに出金することが可能になる。
【０１０９】
尚、ここに開示する技術が適用可能な紙幣処理装置は、前述した構成の貨幣処理装置に限らない。
【０１１０】
例えばバラ紙幣処理ユニット１００における二種類の反転部は、スイッチバック方式の反転部及びスパイラル方式の反転部の組み合わせに限定されない。紙幣の表裏及び天地の両方を揃えることができる組み合わせであれば、二種類の反転部は、様々な方式の反転部を組み合わせることができる。
【符号の説明】
【０１１１】
２００  帯封紙幣処理ユニット（紙幣処理装置）
２０１  帯封部
２０５  スタッカ（収納部）
２０６  入出金口（出金部）
２０７  投出口（出金部）
５１  記憶部
８  制御部
【図１】
2020190900.tif 000003
【図２】
2020190900.tif 000004
【図３】
2020190900.tif 000005
【図４】
2020190900.tif 000006
【図５】
2020190900.tif 000007
【図６】
2020190900.tif 000008
【図７】
2020190900.tif 000009
【図８】
2020190900.tif 000010
【図９】
2020190900.tif 000011
【図１０】
2020190900.tif 000012
【図１１】
2020190900.tif 000013
【図１２】
2020190900.tif 000014
【図１３】
2020190900.tif 000015